(57)【特許請求の範囲】
【請求項１】
ワイヤーハーネスを構成する各単線に含まれる素線や被覆の寸法及び物性値から単線の曲げ剛性の理論値をコンピュータの演算手段に計算させる第１のステップと、
前記各単線の曲げ半径と曲げ剛性間の関係を示す既に測定済みの単線の曲げ剛性測定データをコンピュータの記憶手段に記憶させる第２のステップと、
前記第１のステップにおける単線の曲げ剛性の理論値と前記第２のステップにおける単線の曲げ剛性測定データとの関係からコンピュータの演算手段によってフィッティングを行い、単線の曲げ剛性に関する推定式に用いる単線の曲げ剛性推定用パラメータを求める第３のステップと、
前記各単線を束ねたワイヤーハーネスの曲げ半径と曲げ剛性間の関係を示す既に測定済みのワイヤーハーネスの曲げ剛性測定データをコンピュータの記憶手段に記憶させる第４のステップと、
前記第１のステップで求めた各単線の曲げ剛性の理論値と、前記第３のステップで求めた各単線の曲げ剛性推定用パラメータと、前記第４のステップにおけるワイヤーハーネスの曲げ剛性の測定データとの関係からコンピュータの演算手段によってフィッティングを行い、ワイヤーハーネスの曲げ剛性に関する推定式に用いるワイヤーハーネスの曲げ剛性推定用パラメータを求める第５のステップと、
前記第１のステップにおける単線の曲げ剛性の理論値、第３のステップにおける単線の曲げ剛性推定用パラメータ、第５のステップにおけるワイヤーハーネスの曲げ剛性推定用パラメータを用いて外装材のないワイヤーハーネスの曲げ半径から曲げ剛性を推定するワイヤーハーネスの曲げ剛性推定式をコンピュータの演算手段に作成させる第６のステップと、
前記第６のステップによって得られた外装材のないワイヤーハーネスの曲げ剛性推定式から特定の曲げ半径における外装材のないワイヤーハーネスの曲げ剛性を推定する第７のステップからなることを特徴とするワイヤーハーネスの剛性推定方法。
【請求項２】
前記ワイヤーハーネスを構成する複数の単線がＮ本の同種の単線からなり、単線の曲げ剛性理論値ＥＩ０、曲げ半径Ｒ、曲げ半径Ｒの際の曲げ剛性測定値ＥＩ０（Ｒ）とすると、
ＥＩ０（Ｒ）＝ＥＩ０（ａＲ１／２＋ｂ）・・・（式１）
により、第３のステップにおいて単線の曲げ剛性推定用パラメータａ，ｂを求め、
ＥＩ（Ｒ）＝βＮＥＩ０（ａＲ１／２＋ｂｃ）・・・（式２）
により第５のステップにおいて外装材のないワイヤーハーネスの曲げ剛性推定用パラメータβ，ｃを求め、
前記曲げ剛性推定用パラメータａ，ｂ，β，ｃを用いて、（式２）から外装材のないワイヤーハーネスの曲げ半径Ｒにおける曲げ剛性を推定することを特徴とする、請求項１に記載のワイヤーハーネスの剛性推定方法。
【請求項３】
前記第１乃至第５のステップに加えて、第４のステップにおける各単線を束ねたワイヤーハーネスに外装材を更に備えた外装材付きワイヤーハーネスの曲げ半径と曲げ剛性間の関係を示す既に測定済みの外装材付きワイヤーハーネスの曲げ剛性測定データをコンピュータの記憶手段に記憶させる第６のステップと、
前記第１のステップで求めた各単線の曲げ剛性の理論値と、前記第３のステップで求めた単線の曲げ剛性推定用パラメータと、前記第５のステップで求めたワイヤーハーネスの曲げ剛性推定用パラメータと、前記第６のステップにおける外装材付きワイヤーハーネスの曲げ剛性測定データとの関係からコンピュータの演算手段によってフィッティングを行い、外装材付きワイヤーハーネスの曲げ剛性に関する推定式に用いる外装材の曲げ剛性推定値を求める第７のステップと、
前記第１のステップにおける単線の曲げ剛性の理論値、第３のステップにおける単線の曲げ剛性推定用パラメータ、第５のステップにおけるワイヤーハーネスの曲げ剛性推定用パラメータ、第７のステップにおける外装材の曲げ剛性推定値を用いて外装材付きワイヤーハーネスの曲げ半径から曲げ剛性を推定する外装材付きワイヤーハーネスの曲げ剛性推定式をコンピュータの演算手段に作成させる第８のステップと、
前記第８のステップによって得られた外装材付きワイヤーハーネスの曲げ剛性推定式から特定の曲げ半径Ｒにおける外装材付きワイヤーハーネスの曲げ剛性を推定する第９のステップからなることを特徴とする、請求項１に記載のワイヤーハーネスの剛性推定方法。
【請求項４】
前記ワイヤーハーネスを構成する複数の単線がＮ本の同種の単線からなり、単線の曲げ剛性理論値ＥＩ０、曲げ半径Ｒ、曲げ半径Ｒにおける曲げ剛性測定値ＥＩ０（Ｒ）、外装材付きワイヤーハーネスの外装材のみの曲げ剛性合計推定値をΣＥＩｉとすると、
ＥＩ０（Ｒ）＝ＥＩ０（ａＲ１／２＋ｂ）・・・（式１）
により、第３のステップにおいて単線の曲げ剛性推定用パラメータａ，ｂを求め、
ＥＩ（Ｒ）＝βＮＥＩ０（ａＲ１／２＋ｂｃ）・・・（式２）
により第５のステップにおいて外装材のないワイヤーハーネスの曲げ剛性推定用パラメータβ，ｃを求め、
ＥＩ（Ｒ）＝（βＮＥＩ０＋ΣＥＩｉ）（ａＲ１／２＋ｂｃ）・・・（式３）
により第７のステップにおいて外装材の曲げ剛性合計推定値ΣＥＩｉを求め、
これらの曲げ剛性推定用パラメータａ，ｂ，β，ｃ，及び外装材の曲げ剛性合計推定値ΣＥＩｉを用いて、（式３）から外装材付きワイヤーハーネスの曲げ半径Ｒにおける曲げ剛性を推定することを特徴とする、請求項３に記載のワイヤーハーネスの剛性推定方法。
【請求項５】
ワイヤーハーネスを構成する各単線に含まれる素線や被覆の寸法及び物性値から単線の捻り剛性の理論値をコンピュータの演算手段に計算させる第１のステップと、
前記各単線を束ねたワイヤーハーネスの単位捻れ角と捻り剛性間の関係を示すワイヤーハーネスの捻り剛性測定データをコンピュータの記憶手段に記憶させる第２のステップと、
前記第１のステップにおける捻り剛性の理論値と前記第２のステップにおけるワイヤーハーネスの捻り剛性測定データとの関係からコンピュータの演算手段によってフィッティングを行い、ワイヤーハーネスの捻り剛性に関する推定式に用いるワイヤーハーネスの捻り剛性推定用パラメータを求める第３のステップと、
前記第１のステップにおける単線の捻り剛性の理論値、第３のステップにおけるワイヤーハーネスの捻り剛性推定用パラメータを用いて、外装材のないワイヤーハーネスの捻り剛性の捻り角度から捻り剛性を推定する外装材のないワイヤーハーネスの捻り剛性推定式をコンピュータの演算手段に作成させる第４のステップと、
前記第４のステップによって得られた外装材のないワイヤーハーネスの捻り剛性推定式を用いて特定の捻り角度における外装材のないワイヤーハーネスの捻り剛性を推定する第５のステップからなることを特徴とするワイヤーハーネスの剛性推定方法。
【請求項６】
前記ワイヤーハーネスを構成する複数の単線がＮ本の同種の単線からなり、単線の捻り剛性理論値ＧＪ０、捻り角θ、捻り角θにおける捻り剛性測定値ＧＪ（θ）とすると、
ＧＪ（θ）＝αＮＧＪ０（１＋ａ’／θ＋ｂ’＋ｃ’θ）・・・（式４）
により、第３のステップにおいて外装材のないワイヤーハーネスの捻り剛性推定用パラメータα，ａ’，ｂ’，ｃ’を求め、
前記捻り剛性理論値ＧＪ０及び捻り剛性推定用パラメータα，ａ’，ｂ’，ｃ’を用いて、（式４）から外装材のないワイヤーハーネスの捻り角θにおける捻り剛性を推定することを特徴とする、請求項５に記載のワイヤーハーネスの剛性推定方法。
【請求項７】
前記第１のステップ及び第２のステップに加えて、外装材の単位捻れ角と捻り剛性間の関係を示す外装材の捻り剛性測定データをコンピュータの記憶手段に記憶させる第３のステップと、
前記第３のステップにおける外装材の捻り剛性測定データの関係からコンピュータの演算手段によってフィッティングを行い、外装材の捻り剛性推定用パラメータ及び捻り剛性合計推定値を求める第４のステップと、
前記第１のステップにおける捻り剛性の理論値、前記第２のステップにおける外装材のないワイヤーハーネスの捻り剛性推定用パラメータ、前記第４のステップにおける外装材の捻り剛性推定用パラメータ及び捻り剛性合計推定値によって外装材付きワイヤーハーネスの捻り剛性推定式をコンピュータの演算手段に作成させる第５のステップと、
前記第５のステップによって得られた外装材付きのワイヤーハーネスの捻り剛性推定式を用いて特定の捻り角度における外装材付きワイヤーハーネスの捻り剛性を推定する第６のステップからなることを特徴とする、請求項５に記載のワイヤーハーネスの剛性推定方法。
【請求項８】
前記ワイヤーハーネスを構成する複数の単線がＮ本の同種の単線からなり、単線の捻り剛性理論値ＧＪ０、捻り角θ、捻り角θの際の捻り剛性測定値ＧＪ０（Ｒ）、とすると、
ＧＪ（θ）＝αＮＧＪ０（１＋ａ’／θ＋ｂ’＋ｃ’θ）・・・（式５）
により、第３のステップにおいて外装材のないワイヤーハーネスの捻り剛性推定用パラメータα，ａ’，ｂ’，ｃ’を求め、
外装材の捻り剛性推定用パラメータβｉ’，ｄｉ’、外装材の捻り剛性推定値をＧＪｉとすると、
ＧＪｉ＝βｉ’（１＋ｄｉ’／θ）・・・（式６）
により、第４のステップにおいて外装材の捻り剛性推定用パラメータβｉ’，ｄｉ’、外装材の捻り剛性推定値ＧＪｉを求め、
前記捻り剛性理論値ＧＪ０、及び捻り剛性推定用パラメータα，ａ’，ｂ’，ｃ’，βｉ’，ｄｉ’、並びに外装材の捻り剛性合計推定値ΣＧＪｉから、
ＧＪ（θ）＝（αＮＧＪ０＋ΣＧＪｉ）（１＋ａ’／θ＋ｂ’＋ｃ’θ）・・・（式７）
により、外装材付きワイヤーハーネスの捻り角θにおける捻り剛性を推定することを特徴とする、請求項７に記載のワイヤーハーネスの剛性推定方法。
【請求項９】
前記各フィッティングパラメータや外装材の剛性推定値を求める際に最小二乗法を用いることを特徴とする、請求項１乃至請求項８の何れかに記載のワイヤーハーネスの剛性推定方法。
【請求項１０】
前記請求項１乃至請求項９の何れかに記載のワイヤーハーネスの剛性推定方法を実行することを特徴とするワイヤーハーネスの剛性推定装置。
【請求項１１】
前記請求項１乃至請求項９の何れかに記載のワイヤーハーネスの剛性推定方法をコンピュータに実行させることを特徴とするコンピュータ記録媒体。
【請求項１２】
前記請求項１乃至請求項９の何れかに記載のワイヤーハーネスの剛性推定方法をコンピュータに実行させることを特徴とするダウンロード可能なコンピュータソフトウエア。
【請求項１３】
前記請求項１乃至請求項９の何れかに記載のワイヤーハーネスの剛性推定方法を用いて剛性を推定しながら実際のワイヤーハーネス配索経路に適したワイヤーハーネスを個別に製造することを特徴とするワイヤーハーネスの製造方法。
【発明の詳細な説明】
【技術分野】
【０００１】
本発明は，特に自動車に配索するのに適したワイヤーハーネスの剛性推定方法に関する。
【背景技術】
【０００２】
自動車用ワイヤーハーネスは自動車の様々な部位に配索されるようになっており、その一例として、ドアアウタパネルとドアインナパネルとからなり閉断面を形成するリアドアパネルのドアインナパネルに開断面の凹部を形成し、この凹部にワイヤーハーネスを配策する構造（例えば、特許文献１参照）や、リアドアの内部空間にワイヤーハーネスを配策する構造（例えば、特許文献２参照）が知られている。また、ドアに限らず車体のフロアパネルやエンジンルーム内、トランクルーム内、ルーフパネルとルーフライニングとの間等様々な場所に様々な種類の自動車用ワイヤーハーネスが配索されている。
【０００３】
そして、自動車用ワイヤーハーネスの曲げ剛性や捻り剛性などの機械的特性は、取り付け場所によって長さや本数、線種等が大きく異なり、テープやチューブといった外装材の有無によっても大きく異なる。そのため、組み付け作業性まで考慮したワイヤーハーネス設計においては、ワイヤーハーネスの各部位での曲げ剛性値や捻り剛性値を事前に予測したり算出したりしておくとともに、組み付け時のハーネス形状や取り付け時の反力値等を事前に予測したり算出したりしておくことが重要である。しかしながら、上述したようにワイヤーハーネス自体に多様性があるために個々のワイヤーハーネスの剛性、形状、反力等の推定が難しく、それらを効率良く体系的に評価する方法を確立することが望まれている。
【特許文献１】実開昭６１−０９０６１６号公報（５−６頁、第２図）
【特許文献２】特開２００２−０９６６９７号公報（３頁、図１）
【発明の開示】
【発明が解決しようとする課題】
【０００４】
従来のワイヤーハーネスの剛性算出方法は、以下の式（Ａ）（Ｂ）に示す単線の理論値に単線の本数とそれに伴う図８のプロットに示す実測データに基づいて決定された補正係数を掛けただけのものであり、その評価式を実際のワイヤーハーネス形状に適用しても、算出された形状や取り付け反力は実際と比べ大きく異なってしまうことが多く、剛性の推定精度が良くなかった。
【０００５】
ＥＩ＝αＮＥＩ０・・・（式Ａ）
ＧＪ＝αＮＧＪ０・・・（式Ｂ）
この原因と考えられるものとして、実測データの不足による補正係数の精度不良や、断面変形に起因する剛性値の変化つまり曲げ半径や捻り角依存性が挙げられる。
【０００６】
すなわち、従来のワイヤーハーネスの剛性算出方法では、単線に対する理論式から単線を束ねたワイヤーハーネスの剛性値を推定し、比例定数のみを付加した推定式を用いているに過ぎず、外装材が剛性に及ぼす影響も比例定数を付加する形で考慮しているに過ぎなかった。そして、曲げ半径や捻り角依存性については考慮されていなかった。このように、曲げ半径や捻り角依存性が考慮されていないため、取り付け形状や反力等が現実的な（実際の）値と大きく異なる場合があり、計算精度に問題が生じていた。
【０００７】
しかしながら、多様性に富んだワイヤーハーネスの組み合わせに対し、全ての場合において実測データを集めることは時間やコストの面から効率的でない。そのため、ある程度の実測データは必要であるものの、曲げ半径や捻り角を考慮したワイヤーハーネスの曲げ剛性の特性及び捻り剛性の特性をある程度の精度で簡易に推定できる方式が望まれていた。
【０００８】
本発明の目的は、剛性測定の手間やコストを削減し、また、算出されるハーネスの形状や取り付け反力をこれまでより簡単で効率良く予測することのできるワイヤーハーネスの剛性推定方法を提供することにある。
【課題を解決するための手段】
【０００９】
上述の課題を解決するために、本発明の請求項１に記載のワイヤーハーネスの剛性推定方法は、
ワイヤーハーネスを構成する各単線に含まれる素線や被覆の寸法及び物性値から単線の曲げ剛性の理論値をコンピュータの演算手段に計算させる第１のステップと、
前記各単線の曲げ半径と曲げ剛性間の関係を示す既に測定済みの単線の曲げ剛性測定データをコンピュータの記憶手段に記憶させる第２のステップと、
前記第１のステップにおける単線の曲げ剛性の理論値と前記第２のステップにおける単線の曲げ剛性測定データとの関係からコンピュータの演算手段によってフィッティングを行い、単線の曲げ剛性に関する推定式に用いる単線の曲げ剛性推定用パラメータを求める第３のステップと、
前記各単線を束ねたワイヤーハーネスの曲げ半径と曲げ剛性間の関係を示す既に測定済みのワイヤーハーネスの曲げ剛性測定データをコンピュータの記憶手段に記憶させる第４のステップと、
前記第１のステップで求めた各単線の曲げ剛性の理論値と、前記第３のステップで求めた各単線の曲げ剛性推定用パラメータと、前記第４のステップにおけるワイヤーハーネスの曲げ剛性の測定データとの関係からコンピュータの演算手段によってフィッティングを行い、ワイヤーハーネスの曲げ剛性に関する推定式に用いるワイヤーハーネスの曲げ剛性推定用パラメータを求める第５のステップと、
前記第１のステップにおける単線の曲げ剛性の理論値、第３のステップにおける単線の曲げ剛性推定用パラメータ、第５のステップにおけるワイヤーハーネスの曲げ剛性推定用パラメータを用いて外装材のないワイヤーハーネスの曲げ半径から曲げ剛性を推定するワイヤーハーネスの曲げ剛性推定式をコンピュータの演算手段に作成させる第６のステップと、
前記第６のステップによって得られた外装材のないワイヤーハーネスの曲げ剛性推定式から特定の曲げ半径における外装材のないワイヤーハーネスの曲げ剛性を推定する第７のステップからなることを特徴としている。
【００１０】
このようなワイヤーハーネスの剛性推定方法により、様々な組み合わせからなる外装材のない新しいワイヤーハーネスに対しても過去に算出した各曲げ剛性（推定）値を利用することができ、ある程度の精度を有した曲げ剛性の推定が可能になる。
【００１１】
また、請求項２に記載のワイヤーハーネスの剛性推定方法は、請求項１に記載のワイヤーハーネスの剛性推定方法において、
前記ワイヤーハーネスを構成する複数の単線がＮ本の同種の単線からなり、単線の曲げ剛性理論値ＥＩ０、曲げ半径Ｒ、曲げ半径Ｒの際の曲げ剛性測定値ＥＩ０（Ｒ）とすると、
ＥＩ０（Ｒ）＝ＥＩ０（ａＲ１／２＋ｂ）・・・（式１）
により、第３のステップにおいて単線の曲げ剛性推定用パラメータａ，ｂを求め、
ＥＩ（Ｒ）＝βＮＥＩ０（ａＲ１／２＋ｂｃ）・・・（式２）
により第５のステップにおいて外装材のないワイヤーハーネスの曲げ剛性推定用パラメータβ，ｃを求め、
前記曲げ剛性推定用パラメータａ，ｂ，β，ｃを用いて、（式２）から外装材のないワイヤーハーネスの曲げ半径Ｒにおける曲げ剛性を推定することを特徴としている。
【００１２】
ワイヤーハーネスの剛性推定方法をこのように具体的に行うことにより、様々な組み合わせからなる外装材のない新しいワイヤーハーネスに対しても過去に算出した各曲げ剛性（推定）値を利用することができ、ある程度の精度を有した曲げ剛性の推定が可能になる。
【００１３】
また、請求項３に記載のワイヤーハーネスの剛性推定方法は、請求項１に記載のワイヤーハーネスの剛性推定方法において、
前記第１乃至第５のステップに加えて、第４のステップにおける各単線を束ねたワイヤーハーネスに外装材を更に備えた外装材付きワイヤーハーネスの曲げ半径と曲げ剛性間の関係を示す既に測定済みの外装材付きワイヤーハーネスの曲げ剛性測定データをコンピュータの記憶手段に記憶させる第６のステップと、
前記第１のステップで求めた各単線の曲げ剛性の理論値と、前記第３のステップで求めた単線の曲げ剛性推定用パラメータと、前記第５のステップで求めたワイヤーハーネスの曲げ剛性推定用パラメータと、前記第６のステップにおける外装材付きワイヤーハーネスの曲げ剛性測定データとの関係からコンピュータの演算手段によってフィッティングを行い、外装材付きワイヤーハーネスの曲げ剛性に関する推定式に用いる外装材の曲げ剛性推定値を求める第７のステップと、
前記第１のステップにおける単線の曲げ剛性の理論値、第３のステップにおける単線の曲げ剛性推定用パラメータ、第５のステップにおけるワイヤーハーネスの曲げ剛性推定用パラメータ、第７のステップにおける外装材の曲げ剛性推定値を用いて外装材付きワイヤーハーネスの曲げ半径から曲げ剛性を推定する外装材付きワイヤーハーネスの曲げ剛性推定式をコンピュータの演算手段に作成させる第８のステップと、
前記第８のステップによって得られた外装材付きワイヤーハーネスの曲げ剛性推定式から特定の曲げ半径Ｒにおける外装材付きワイヤーハーネスの曲げ剛性を推定する第９のステップからなることを特徴としている。
【００１４】
このようなワイヤーハーネスの剛性推定方法により、様々な組み合わせからなる外装材付きの新しいワイヤーハーネスに対しても過去に算出した各曲げ剛性（推定）値を利用することができ、ある程度の精度を有した曲げ剛性の推定が可能になる。
【００１５】
また、請求項４に記載のワイヤーハーネスの剛性推定方法は、請求項３に記載のワイヤーハーネスの剛性推定方法において、
前記ワイヤーハーネスを構成する複数の単線がＮ本の同種の単線からなり、単線の曲げ剛性理論値ＥＩ０、曲げ半径Ｒ、曲げ半径Ｒにおける曲げ剛性測定値ＥＩ０（Ｒ）、外装材付きワイヤーハーネスの外装材のみの曲げ剛性合計推定値をΣＥＩｉとすると、
ＥＩ０（Ｒ）＝ＥＩ０（ａＲ１／２＋ｂ）・・・（式１）
により、第３のステップにおいて単線の曲げ剛性推定用パラメータａ，ｂを求め、
ＥＩ（Ｒ）＝βＮＥＩ０（ａＲ１／２＋ｂｃ）・・・（式２）
により第５のステップにおいて外装材のないワイヤーハーネスの曲げ剛性推定用パラメータβ，ｃを求め、
ＥＩ（Ｒ）＝（βＮＥＩ０＋ΣＥＩｉ）（ａＲ１／２＋ｂｃ）・・・（式３）
により第７のステップにおいて外装材の曲げ剛性合計推定値ΣＥＩｉを求め、
これらの曲げ剛性推定用パラメータａ，ｂ，β，ｃ，及び外装材の曲げ剛性合計推定値ΣＥＩｉを用いて、（式３）から外装材付きワイヤーハーネスの曲げ半径Ｒにおける曲げ剛性を推定することを特徴としている。
【００１６】
ワイヤーハーネスの剛性推定方法をこのように具体的に行うことにより、様々な組み合わせからなる外装材付きの新しいワイヤーハーネスに対しても過去に算出した各曲げ剛性（推定）値を利用することができ、ある程度の精度を有した曲げ剛性の推定が可能になる。
【００１７】
また、請求項５に記載のワイヤーハーネスの剛性推定方法は、
ワイヤーハーネスを構成する各単線に含まれる素線や被覆の寸法及び物性値から単線の捻り剛性の理論値をコンピュータの演算手段に計算させる第１のステップと、
前記各単線を束ねたワイヤーハーネスの単位捻れ角と捻り剛性間の関係を示すワイヤーハーネスの捻り剛性測定データをコンピュータの記憶手段に記憶させる第２のステップと、
前記第１のステップにおける捻り剛性の理論値と前記第２のステップにおけるワイヤーハーネスの捻り剛性測定データとの関係からコンピュータの演算手段によってフィッティングを行い、ワイヤーハーネスの捻り剛性に関する推定式に用いるワイヤーハーネスの捻り剛性推定用パラメータを求める第３のステップと、
前記第１のステップにおける単線の捻り剛性の理論値、第３のステップにおけるワイヤーハーネスの捻り剛性推定用パラメータを用いて、外装材のないワイヤーハーネスの捻り剛性の捻り角度から捻り剛性を推定する外装材のないワイヤーハーネスの捻り剛性推定式をコンピュータの演算手段に作成させる第４のステップと、
前記第４のステップによって得られた外装材のないワイヤーハーネスの捻り剛性推定式を用いて特定の捻り角度における外装材のないワイヤーハーネスの捻り剛性を推定する第５のステップからなることを特徴としている。
【００１８】
このようなワイヤーハーネスの剛性推定方法により、様々な組み合わせからなる外装材のない新しいワイヤーハーネスに対しても過去に算出した各捻り剛性（推定）値を利用することができ、ある程度の精度を有した捻り剛性の推定が可能になる。
【００１９】
また、請求項６に記載のワイヤーハーネスの剛性推定方法は、請求項５に記載のワイヤーハーネスの剛性推定方法において、
前記ワイヤーハーネスを構成する複数の単線がＮ本の同種の単線からなり、単線の捻り剛性理論値ＧＪ０、捻り角θ、捻り角θにおける捻り剛性測定値ＧＪ（θ）とすると、
ＧＪ（θ）＝αＮＧＪ０（１＋ａ’／θ＋ｂ’＋ｃ’θ）・・・（式４）
により、第３のステップにおいて外装材のないワイヤーハーネスの捻り剛性推定用パラメータα，ａ’，ｂ’，ｃ’を求め、
前記捻り剛性理論値ＧＪ０及び捻り剛性推定用パラメータα，ａ’，ｂ’，ｃ’を用いて、（式４）から外装材のないワイヤーハーネスの捻り角θにおける捻り剛性を推定することを特徴としている。
【００２０】
ワイヤーハーネスの剛性推定方法をこのように具体的に行うことにより、様々な組み合わせからなる外装材のない新しいワイヤーハーネスに対しても過去に算出した各捻り剛性（推定）値を利用することができ、ある程度の精度を有した捻り剛性の推定が可能になる。
【００２１】
また、請求項７に記載のワイヤーハーネスの剛性推定方法は、請求項５に記載のワイヤーハーネスの剛性推定方法において、
前記第１のステップ及び第２のステップに加えて、外装材の単位捻れ角と捻り剛性間の関係を示す外装材の捻り剛性測定データをコンピュータの記憶手段に記憶させる第３のステップと、
前記第３のステップにおける外装材の捻り剛性測定データの関係からコンピュータの演算手段によってフィッティングを行い、外装材の捻り剛性推定用パラメータ及び捻り剛性合計推定値を求める第４のステップと、
前記第１のステップにおける捻り剛性の理論値、前記第２のステップにおける外装材のないワイヤーハーネスの捻り剛性推定用パラメータ、前記第４のステップにおける外装材の捻り剛性推定用パラメータ及び捻り剛性合計推定値によって外装材付きワイヤーハーネスの捻り剛性推定式をコンピュータの演算手段に作成させる第５のステップと、
前記第５のステップによって得られた外装材付きのワイヤーハーネスの捻り剛性推定式を用いて特定の捻り角度における外装材付きワイヤーハーネスの捻り剛性を推定する第６のステップからなることを特徴としている。
【００２２】
このようなワイヤーハーネスの剛性推定方法により、様々な組み合わせからなる外装材付きの新しいワイヤーハーネスに対しても過去に算出した各捻り剛性（推定）値を利用することができ、ある程度の精度を有した捻り剛性の推定が可能になる。
【００２３】
また、請求項８に記載のワイヤーハーネスの剛性推定方法は、請求項７に記載のワイヤーハーネスの剛性推定方法において、
前記ワイヤーハーネスを構成する複数の単線がＮ本の同種の単線からなり、単線の捻り剛性理論値ＧＪ０、捻り角θ、捻り角θの際の捻り剛性測定値ＧＪ０（Ｒ）、とすると、
ＧＪ（θ）＝αＮＧＪ０（１＋ａ’／θ＋ｂ’＋ｃ’θ）・・・（式５）
により、第３のステップにおいて外装材のないワイヤーハーネスの捻り剛性推定用パラメータα，ａ’，ｂ’，ｃ’を求め、
外装材の捻り剛性推定用パラメータβｉ’，ｄｉ’、外装材の捻り剛性推定値をＧＪｉとすると、
ＧＪｉ＝βｉ’（１＋ｄｉ’／θ）・・・（式６）
により、第４のステップにおいて外装材の捻り剛性推定用パラメータβｉ’，ｄｉ’、外装材の捻り剛性推定値ＧＪｉを求め、
前記捻り剛性理論値ＧＪ０、及び捻り剛性推定用パラメータα，ａ’，ｂ’，ｃ’，βｉ’，ｄｉ’、並びに外装材の捻り剛性合計推定値ΣＧＪｉから、
ＧＪ（θ）＝（αＮＧＪ０＋ΣＧＪｉ）（１＋ａ’／θ＋ｂ’＋ｃ’θ）・・・（式７）
により、外装材付きワイヤーハーネスの捻り角θにおける捻り剛性を推定することを特徴としている。
【００２４】
ワイヤーハーネスの剛性推定方法をこのように具体的に行うことにより、様々な組み合わせからなる外装材付きの新しいワイヤーハーネスに対しても過去に算出した各捻り剛性（推定）値を利用することができ、ある程度の精度を有した捻り剛性の推定が可能になる。
【００２５】
また、請求項９に記載のワイヤーハーネスの剛性推定方法は、請求項１乃至請求項８の何れかに記載のワイヤーハーネスの剛性推定方法において、
前記各フィッティングパラメータや外装材の剛性推定値を求める際に最小二乗法を用いることを特徴としている。
【００２６】
最小二乗法を用いることで、簡易で正確なワイヤーハーネスの剛性推定方法を実現する。
【００２７】
また、請求項１０に記載のワイヤーハーネスの剛性推定装置は、
前記請求項１乃至請求項９の何れかに記載のワイヤーハーネスの剛性推定方法を実行することを特徴としている。
【００２８】
また、請求項１１に記載のコンピュータ記録媒体は、
前記請求項１乃至請求項９の何れかに記載のワイヤーハーネスの剛性推定方法をコンピュータに実行させることを特徴としている。
【００２９】
また、請求項１２に記載のコンピュータソフトウエアは、
前記請求項１乃至請求項９の何れかに記載のワイヤーハーネスの剛性推定方法をコンピュータに実行させることを特徴としている。
【００３０】
また、請求項１３に記載のワイヤーハーネスの製造方法は、
前記請求項１乃至請求項９の何れかに記載のワイヤーハーネスの剛性推定方法を用いて剛性を推定しながら実際のワイヤーハーネス配索経路に適したワイヤーハーネスを個別に製造することを特徴としている。
【発明の効果】
【００３１】
本発明によると、剛性測定の手間やコストを削減し、また、算出されるハーネスの形状や取り付け反力をこれまでより簡易に効率良く予測することの可能なワイヤーハーネスの剛性推定方法を提供することができる。
【発明を実施するための最良の形態】
【００３２】
（１−１）第１の実施形態：外装材のないワイヤーハーネスの曲げ剛性推定方法
以下、本発明の第１の実施形態にかかるワイヤーハーネスの剛性推定方法について説明する。本発明の第１の実施形態にかかるワイヤーハーネスの剛性推定方法は、外装材のないワイヤーハーネスの曲げ剛性を推定する方法であり、以下の記載及び図１に示すように、ステップ１からステップ６の手順から成り立っている。
【００３３】
まず、第１のステップにおいて、ワイヤーハーネスを構成する各単線に含まれる素線や被覆の寸法及び物性値から単線の曲げ剛性の理論値ＥＩ０をコンピュータの演算手段に計算させる。
【００３４】
次いで、第２のステップにおいて、各単線の曲げ半径Ｒ、曲げ半径Ｒの際の曲げ剛性測定値ＥＩ０（Ｒ）間の関係を示す既に測定済みの単線の曲げ剛性測定データをコンピュータの記憶手段に記憶させる。図５は、このようにして記憶された実測値（プロット）を示している。
【００３５】
次いで、第３のステップにおいて、第１のステップにおける単線の曲げ剛性の理論値ＥＩ０と第２のステップにおける単線の曲げ剛性測定データとの関係からコンピュータの演算手段によってフィッティングを行い、単線の曲げ剛性に関する推定式に用いる単線の曲げ剛性推定用パラメータを求める。
【００３６】
具体的には、ワイヤーハーネスを構成する複数の単線がＮ本の同種の単線からなり、単線の曲げ剛性理論値ＥＩ０、曲げ半径Ｒ、曲げ半径Ｒの際の曲げ剛性測定値ＥＩ０（Ｒ）とすると、
ＥＩ０（Ｒ）＝ＥＩ０（ａＲ１／２＋ｂ）・・・（式１）
により、この第３のステップにおいて単線の曲げ剛性推定用パラメータａ，ｂを求める。なお、各曲げ剛性推定用パラメータａ，ｂを求める際に例えば最小二乗法を用いて求めるのが良いが、必ずしもこの方法に限定されるものではない。以下、各曲げ剛性推定パラメータ（フィッティングパラメータ）を求める際も同様とする。図５は、各曲げ剛性推定用パラメータを式（１）に代入して得られたフィッティング曲線を示している。
【００３７】
次いで、第４のステップにおいて、各単線を束ねたワイヤーハーネスの曲げ半径と曲げ剛性間の関係を示す既に測定済みのワイヤーハーネスの曲げ剛性測定データをコンピュータの記憶手段に記憶させる。図６は、このようにして記憶された実測値（プロット）を示している。
【００３８】
次いで、第５のステップにおいて、第１のステップで求めた各単線の曲げ剛性の理論値と、第３のステップで求めた各単線の曲げ剛性推定用パラメータと、第４のステップにおけるワイヤーハーネスの曲げ剛性の測定データとの関係からコンピュータの演算手段によってフィッティングを行い、ワイヤーハーネスの曲げ剛性に関する推定式に用いるワイヤーハーネスの曲げ剛性推定用パラメータを求める。
【００３９】
具体的には、
ＥＩ（Ｒ）＝βＮＥＩ０（ａＲ１／２＋ｂｃ）・・・（式２）
によりこの第５のステップにおいて外装材のないワイヤーハーネスの曲げ剛性推定用パラメータβ，ｃを求める。
【００４０】
次いで、第６のステップにおいて、第１のステップにおける単線の曲げ剛性の理論値、第３のステップにおける単線の曲げ剛性推定用パラメータ、第５のステップにおけるワイヤーハーネスの曲げ剛性推定用パラメータを用いて外装材のないワイヤーハーネスの曲げ半径から曲げ剛性を推定するワイヤーハーネスの曲げ剛性推定式をコンピュータの演算手段に作成させる。図６は、各剛性推定値用パラメータを式（２）に代入して得られたフィッティング曲線を示している。
【００４１】
具体的には、これらの曲げ剛性推定用パラメータａ，ｂ，β，ｃを（式２）に代入し、外装材のないワイヤーハーネスの曲げ半径から曲げ剛性を推定するワイヤーハーネスの曲げ剛性推定式を得る。
【００４２】
次いで、第７のステップにおいて、外装材のないワイヤーハーネスの半径Ｒにおける曲げ剛性を推定する。
（１−２）第１の実施形態の変形例：外装材付きワイヤーハーネスの曲げ剛性推定方法
次いで、上述した第１の実施形態の変形例にかかるワイヤーハーネスの剛性推定方法について説明する。上述した第１の実施形態の変形例にかかるワイヤーハーネスの剛性推定方法は、テープやコルゲートチューブといった外装材（以下、単に「外装材」とする）の付いたワイヤーハーネスの曲げ剛性を推定する方法であり、以下の記載及び図２に示すようにステップ１からステップ８の手順から成り立っている。
【００４３】
まず、第１のステップにおいて、ワイヤーハーネスを構成する各単線に含まれる素線や被覆の寸法及び物性値から単線の曲げ剛性の理論値ＥＩ０をコンピュータの演算手段に計算させる。
【００４４】
次いで、第２のステップにおいて、各単線の曲げ半径Ｒ、曲げ半径Ｒの際の曲げ剛性測定値ＥＩ０（Ｒ）間の関係を示す既に測定済みの単線の曲げ剛性測定データをコンピュータの記憶手段に記憶させる。図５は、このようにして記憶された実測値（プロット）を示している。
【００４５】
次いで、第３のステップにおいて、第１のステップにおける単線の曲げ剛性の理論値ＥＩ０と第２のステップにおける単線の曲げ剛性測定データとの関係からコンピュータの演算手段によってフィッティングを行い、単線の曲げ剛性に関する推定式に用いる単線の曲げ剛性推定用パラメータを求める。
【００４６】
具体的には、ワイヤーハーネスを構成する複数の単線がＮ本の同種の単線からなり、単線の曲げ剛性理論値ＥＩ０、曲げ半径Ｒ、曲げ半径Ｒの際の曲げ剛性測定値ＥＩ０（Ｒ）とすると、
ＥＩ０（Ｒ）＝ＥＩ０（ａＲ１／２＋ｂ）・・・（式１）
により、この第３のステップにおいて単線の曲げ剛性推定用パラメータａ，ｂを求める。なお、各曲げ剛性推定用パラメータａ，ｂを求める際に例えば最小二乗法を用いて求めるのが良いか、必ずしもこの方法に限定されるものではない。以下、各曲げ剛性推定パラメータ（フィッティングパラメータ）、及び外装材の曲げ剛性推定値を求める際も同様とする。図５は、各曲げ剛性推定用パラメータを式（１）に代入して得られたフィッティング曲線を示している。
【００４７】
次いで、第４のステップにおいて、各単線を束ねたワイヤーハーネスの曲げ半径と曲げ剛性間の関係を示す既に測定済みのワイヤーハーネスの曲げ剛性測定データをコンピュータの記憶手段に記憶させる。図６は、このようにして記憶された実測値（プロット）を示している。
【００４８】
次いで、第５のステップにおいて、第１のステップで求めた各単線の曲げ剛性の理論値と、第３のステップで求めた各単線の曲げ剛性推定用パラメータと、前記第４のステップにおけるワイヤーハーネスの曲げ剛性の測定データとの関係からコンピュータの演算手段によってフィッティングを行い、ワイヤーハーネスの曲げ剛性に関する推定式に用いるワイヤーハーネスの曲げ剛性推定用パラメータを求める。
【００４９】
具体的には、
ＥＩ（Ｒ）＝βＮＥＩ０（ａＲ１／２＋ｂｃ）・・・（式２）
によりこの第５のステップにおいて外装材のないワイヤーハーネスの曲げ剛性推定用パラメータβ，ｃを求める。図６は、各剛性推定値用パラメータを式（２）に代入して得られたフィッティング曲線を示している。
【００５０】
次いで、第６のステップにおいて、第４のステップにおける各単線を束ねたワイヤーハーネスに外装材を更に備えた外装材付きワイヤーハーネスの曲げ半径と曲げ剛性間の関係を示す既に測定済みの外装材付きワイヤーハーネスの曲げ剛性測定データをコンピュータの記憶手段に記憶させる。
【００５１】
次いで、第７のステップにおいて、第１のステップで求めた各単線の曲げ剛性の理論値と、第３のステップで求めた単線の曲げ剛性推定用パラメータと、第５のステップで求めたワイヤーハーネスの曲げ剛性推定用パラメータと、第６のステップにおける外装材付きワイヤーハーネスの曲げ剛性測定データとの関係からコンピュータの演算手段によってフィッティングを行い、外装材付きワイヤーハーネスの曲げ剛性に関する推定式に用いる外装材の曲げ剛性推定値を求める。
【００５２】
具体的には、
ＥＩ（Ｒ）＝（βＮＥＩ０＋ΣＥＩｉ）（ａＲ１／２＋ｂｃ）・・・（式３）
によりこのステップにおいて外装材の曲げ剛性合計推定値ΣＥＩｉを求め、
これらの曲げ剛性推定用パラメータａ，ｂ，β，ｃ，及び外装材の曲げ剛性合計推定値ΣＥＩｉを求める。
【００５３】
次いで、第８のステップにおいて、第１のステップにおける単線の曲げ剛性の理論値、第３のステップにおける単線の曲げ剛性推定用パラメータ、第５のステップにおけるワイヤーハーネスの曲げ剛性推定用パラメータ、第７のステップにおける外装材の曲げ剛性合計推定値を用いて外装材付きワイヤーハーネスの曲げ半径から曲げ剛性を推定する外装材付きワイヤーハーネスの曲げ剛性推定式をコンピュータの演算手段に作成させる。
【００５４】
具体的には、曲げ剛性推定用パラメータａ，ｂ，β，ｃ，及び外装材の曲げ剛性合計推定値ΣＥＩｉを用いて、（式３）から外装材付きワイヤーハーネスの曲げ半径Ｒにおける曲げ剛性推定式を得る。
【００５５】
次いで、第９のステップにおいて、第８のステップによって得られた外装材付きワイヤーハーネスの曲げ剛性推定式から特定の曲げ半径Ｒにおける外装材付きワイヤーハーネスの曲げ剛性を推定する。
（２−１）第２の実施形態：外装材のないワイヤーハーネスの捻り剛性推定方法
次いで、本発明の第２の実施形態にかかるワイヤーハーネスの剛性推定方法について説明する。本発明の第２の実施形態にかかるワイヤーハーネスの剛性推定方法は、外装材のないワイヤーハーネスの捻り剛性を推定する方法であり、以下のステップ１からステップ４の手順から成り立っている。
【００５６】
まず、第１のステップにおいて、ワイヤーハーネスを構成する各単線に含まれる素線や被覆の寸法及び物性値から単線の捻り剛性の理論値ＧＪ０をコンピュータの演算手段に計算させる。
【００５７】
次いで、第２のステップにおいて、各単線を束ねたワイヤーハーネスの単位捻れ角θと捻り剛性ＧＪ（θ）間の関係を示すワイヤーハーネスの捻り剛性測定データをコンピュータの記憶手段に記憶させる。図６は、このようにして記憶されたねじり剛性推定データをプロットで示している。
【００５８】
次いで、第３のステップにおいて、第１のステップにおける捻り剛性の理論値ＧＪ０と第２のステップにおけるワイヤーハーネスの捻り剛性測定データとの関係からコンピュータの演算手段によってフィッティングを行い、ワイヤーハーネスの捻り剛性に関する推定式に用いるワイヤーハーネスの捻り剛性推定用パラメータを求める。
【００５９】
具体的には、ワイヤーハーネスを構成する複数の単線がＮ本の同種の単線からなり、単線の捻り剛性理論値ＧＪ０、捻り角θ、捻り角θにおける捻り剛性測定値ＧＪ（θ）とすると、
ＧＪ（θ）＝αＮＧＪ０（１＋ａ’／θ＋ｂ’＋ｃ’θ）・・・（式４）
により、第３のステップにおいて外装材のないワイヤーハーネスの捻り剛性推定用パラメータα，ａ’，ｂ’，ｃ’を求める。なお、各捻り剛性推定用パラメータａ，ｂを求める際に例えば最小二乗法を用いて求めるのが良いが、必ずしもこの方法に限定されるものではない。以下、各捻り剛性推定パラメータ（フィッティングパラメータ）を求める際も同様とする。
【００６０】
次いで、第４のステップにおいて、第１のステップにおける単線の捻り剛性の理論値、第３のステップにおけるワイヤーハーネスの捻り剛性推定用パラメータを用いて、外装材のないワイヤーハーネスの捻り剛性の捻り角度から捻り剛性を推定する外装材のないワイヤーハーネスの捻り剛性推定式をコンピュータの演算手段に作成させる。図６は、このようにして得られた捻り剛性推定式をフィッティング曲線で示している。
【００６１】
具体的には、単線の捻り剛性の理論値ＧＪ０、及び捻り剛性推定用パラメータα，ａ’，ｂ’，ｃ’を用いて、（式４）から外装材のないワイヤーハーネスの捻り角θにおける捻り剛性推定式を得る。
【００６２】
次いで、第５のステップにおいて、第４のステップによって得られた外装材のないワイヤーハーネスの捻り剛性推定式を用いて特定の捻り角度における外装材のないワイヤーハーネスの捻り剛性を推定する。
（２−２）第２の実施形態の変形例：外装材付きワイヤーハーネスの捻り剛性推定方法
次いで、上述した第２の実施形態の変形例にかかるワイヤーハーネスの剛性推定方法について説明する。上述した第２の実施形態の変形例にかかるワイヤーハーネスの剛性推定方法は、外装材付きのワイヤーハーネスの捻り剛性を推定する方法であり、以下のステップ１からステップ８の手順から成り立っている。
【００６３】
まず、第１のステップにおいて、ワイヤーハーネスを構成する各単線に含まれる素線や被覆の寸法及び物性値から単線の捻り剛性の理論値ＧＪ０をコンピュータの演算手段に計算させる。
【００６４】
次いで、第２のステップにおいて、各単線を束ねたワイヤーハーネスの単位捻れ角θと捻り剛性ＧＪ（θ）間の関係を示すワイヤーハーネスの捻り剛性測定データをコンピュータの記憶手段に記憶させる。図６は、このようにして記憶されたねじり剛性推定データをプロットで示している。
【００６５】
次いで、第３のステップにおいて、外装材の単位捻れ角θと捻り剛性ＧＪｉ間の関係を示す外装材の捻り剛性測定データをコンピュータの記憶手段に記憶させる。
【００６６】
次いで、第４のステップにおいて、第３のステップにおける外装材の捻り剛性測定データの関係からコンピュータの演算手段によってフィッティングを行い、外装材の捻り剛性推定用パラメータ及び捻り剛性合計推定値ΣＧＪｉを求める。
【００６７】
具体的には、ワイヤーハーネスを構成する複数の単線がＮ本の同種の単線からなり、単線の捻り剛性理論値ＧＪ０、捻り角θ、捻り角θの際の捻り剛性測定値ＧＪ（θ）、とすると、
ＧＪ（θ）＝αＮＧＪ０（１＋ａ’／θ＋ｂ’＋ｃ’θ）・・・（式５）
により、第３のステップにおいて外装材のないワイヤーハーネスの捻り剛性推定用パラメータα，ａ’，ｂ’，ｃ’を求め、
外装材の捻り剛性推定用パラメータβｉ’，ｄｉ’、外装材の捻り剛性推定値をＧＪｉとすると、
ＧＪｉ＝βｉ’（１＋ｄｉ’／θ）・・・（式６）
により、第４のステップにおいて外装材の捻り剛性推定用パラメータβｉ’，ｄｉ’、外装材の捻り剛性推定値ＧＪｉを求める。
【００６８】
次いで、第５のステップにおいて、第１のステップにおける捻り剛性の理論値、第２のステップにおける外装材のないワイヤーハーネスの捻り剛性推定用パラメータ、第４のステップにおける外装材の捻り剛性合計推定値によって外装材付きワイヤーハーネスの捻り剛性推定式をコンピュータの演算手段によって作成させる。
【００６９】
具体的には、捻り剛性の理論値ＧＪ０、及び捻り剛性推定用パラメータα，ａ’，ｂ’，ｃ’，βｉ’，ｄｉ’、並びに捻り剛性合計推定値ΣＧＪｉから、
ＧＪ（θ）＝（αＮＧＪ０＋ΣＧＪｉ）（１＋ａ’／θ＋ｂ’＋ｃ’θ）・・・（式７）
により、外装材付きワイヤーハーネスの捻り角θにおける捻り剛性推定式を作成する。
【００７０】
次いで、第６のステップにおいて、第５のステップによって得られた外装材付きのワイヤーハーネスの捻り剛性推定式を用いて特定の捻り角度における外装材付きワイヤーハーネスの捻り剛性を推定する。
【００７１】
以上説明したように、本発明によってテープやコルゲートチューブといった外装材を含めた単一線種複数本からなる自動車用ワイヤーハーネスの曲げ剛性及び捻り剛性の推定評価式を作成できた。
【００７２】
推定式は、各種ハーネス線材と外装材の剛性値の和で表わされており、更にハーネスの曲げ剛性や捻り剛性に対し、それぞれ「曲げ半径」、「捻り角度」依存性を含めた形となっている。ハーネス線材の剛性と外装材の剛性が分離した形になっているため、数種の外装材や線材が組み合わさったハーネスに対してもそれぞれの剛性成分の組み合わせることで剛性の推定が容易になることが期待できる。
【００７３】
また、この推定式は、これまでの剛性実測データに基づいてできるだけ簡易に剛性を推定する方法を確立することを目指したものであり、ハーネス線材の剛性値は主に理論式を用い、それらにフィッティングパラメータ（比例係数、展開係数）を付加することで実測との一致を図っている。単線の曲げ剛性値や捻り剛性値にフィッティングパラメータを付加し、それらのパラメータ値を剛性測定結果へのフィッティング結果から決定している。また、テープやコルゲートチューブなど各種外装材の剛性への寄与もフィッティングパラメータとして推定式に含めている。
【００７４】
このようにハーネス全体の推定剛性式をハーネスの線材剛性部と外装材剛性部の和として表しているために、それぞれの剛性への寄与を分離して考えることが可能となっている。それによって、様々な組み合わせからなる新しいハーネスに対しても過去に算出した各剛性（推定）値を利用することができ、ある程度の精度をもって剛性推定が容易に行えるようになった。
【００７５】
すなわち、外装材の組み合わせに応じて各ハーネス線材の物性値による材料力学的理論式からだけでなく、剛性の測定結果（曲げ半径・捻り角依存性等）を考慮することでより実際に近い剛性値の推定が可能となった。
【００７６】
以上から明らかなように、これまでは多種多様な組み合わせからなるハーネスの剛性値を求める（推定する）のが困難であったためにハーネスの取り付け時の形状や取り付け反力を予測することが難しく、その精度も悪かった。しかしながら、本発明の方法を用いることで、ある程度それらの予測が可能となり、その精度も向上した。また、形状や反力（応力）の推定精度が向上することによってハーネス設計や疲労特性の解析にも繋がると期待できる。
【００７７】
すなわち、本発明により、剛性測定の手間やコストを削減し、また、算出されるハーネス形状や取り付け反力をこれまでより簡易に効率よく予測することができるようになった。そして、ワイヤーハーネスの取り付け場所毎の形状や反力値等が簡易に且つ精度良く推定できるようになり、結果的に、ハーネスの疲労特性解析にも利用でき、ワイヤーハーネス疲労の事前予測にも役立つと考えられる。
【００７８】
なお、上述の各剛性推定方法は、当該方法を実行する演算手段やメモリを有したワイヤーハーネスの剛性推定装置によって実施しても良く、このようなワイヤーハーネスの剛性推定方法をコンピュータに実行させるコンピュータ記録媒体を用いてコンピュータに実施させても良く、このようなワイヤーハーネスの剛性推定方法をコンピュータに実行させるダウンロード可能なコンピュータソフトウエアを用いてコンピュータに実施させても良い。
【００７９】
また、以上説明したワイヤーハーネスの剛性推定方法を用いて剛性を推定しながら実際のワイヤーハーネス配索経路に適したワイヤーハーネスを個別に製造することにより、所望の曲げ剛性や捻り剛性を有する機械的特性に優れた高品質のワイヤーハーネスを製造することができる。
【図面の簡単な説明】
【００８０】
【図１】本発明の第１の実施形態にかかるワイヤーハーネスの剛性推定方法を説明するフローチャートである。
【図２】第１の実施形態の変形例にかかるワイヤーハーネスの剛性推定方法を説明するフローチャートである。
【図３】本発明の第２の実施形態にかかるワイヤーハーネスの剛性推定方法を説明するフローチャートである。
【図４】第２の実施形態の変形例にかかるワイヤーハーネスの剛性推定方法を説明するフローチャートである。
【図５】第１の実施形態及びその変形例において、単線の曲げ剛性と曲げ半径（曲率半径）との関係を示す図である。
【図６】第１の実施形態及びその変形例において、複線の曲げ剛性と曲げ半径（曲率半径）との関係を示す図である。
【図７】第２の実施形態及びその変形例において、単線の捻り剛性と単位捻れ角度との関係を示す図である。
【図８】従来のワイヤーハーネスの曲げ剛性推定方法を説明する図である。
【図１】
0004576562.tif 000002
【図２】
0004576562.tif 000003
【図３】
0004576562.tif 000004
【図４】
0004576562.tif 000005
【図５】
0004576562.tif 000006
【図６】
0004576562.tif 000007
【図７】
0004576562.tif 000008
【図８】
0004576562.tif 000009